(57)【要約】【課題】レンズに埃などが付着するのを抑制することができるレンズ装置および画像投写装置を提供する。【解決手段】レンズ装置たる投写光学部４０は、防塵手段たる筒状の防塵カバー６０を有している。この防塵カバー６０は、各逃げ部６１を伝達軸部４２ｄに位置させ、固定筒４１を覆うように投写光学部４０に取り付けられられており、固定筒４１の貫通孔４１ｃおよび保持孔を覆い、貫通孔４１ｃや保持孔から装置内部への埃や塵の進入を防いでいる。【選択図】図１０
2018112638.tif 000002
【特許請求の範囲】
【請求項１】
光軸方向に延びる係合孔を有する固定筒と、前記固定筒の内部に配置され、前記係合孔に嵌る係合突起を有し、レンズを保持するレンズ保持部材と、前記固定筒と前記レンズ保持部材との間で回転可能に配置され、前記係合突起が貫通する前記光軸方向に対して傾斜したカム孔を有するカム筒と、前記カム筒に接続され、前記カム筒を操作する操作部材とを備え、前記固定筒は、前記操作部材を前記カム筒に接続するための円周方向に延びる貫通孔を有するレンズ装置において、
前記貫通孔からの装置内部への埃の進入を抑制する防塵手段を設けたことを特徴とするレンズ装置。
【請求項２】
請求項１に記載のレンズ装置において、
前記防塵手段は、前記貫通孔を覆い、前記操作部材と連れ動くことを特徴とするレンズ装置。
【請求項３】
請求項２に記載のレンズ装置において、
前記防塵手段は、前記カム筒と前記操作部材とを接続する接続部と円周方向から当接する当接部を有することを特徴とするレンズ装置。
【請求項４】
請求項３に記載のレンズ装置において、
前記防塵手段には、前記接続部を逃がす切り欠きまたは孔形状の逃げ部を有することを特徴とするレンズ装置。
【請求項５】
請求項２乃至４いずれかに記載のレンズ装置において、
前記防塵手段は、円筒状であることを特徴とするレンズ装置。
【請求項６】
請求項５に記載のレンズ装置において、
前記防塵手段は、可撓性の平面部材であり、一端に、他端に設けられた引っ掛け部が留められる係止部を有するものであることを特徴とするレンズ装置。
【請求項７】
請求項１乃至６いずれかに記載のレンズ装置において、
前記固定筒は、前記円周方向に延び、前記カム筒の保持突起が入り込む貫通した保持孔を有し、
前記防塵手段は、前記保持孔からの前記装置内部への埃の進入も抑制することを特徴とするレンズ装置。
【請求項８】
投写画像を生成する画像生成手段と、前記画像生成手段が生成した前記投写画像が入射するレンズを有するレンズ装置とを備えた画像投写装置において、
前記レンズ装置として、請求項１乃至７いずれか一項に記載のレンズ装置を用いたことを特徴とする画像投写装置。
【発明の詳細な説明】
【技術分野】
【０００１】
本発明は、レンズ装置および画像投写装置に関するものである。
【背景技術】
【０００２】
従来から、次のようなレンズ装置が知られている。すなわち、固定筒と、レンズを保持するレンズ保持部材と、カム筒と、カム筒に接続され、カム筒を回転操作する操作部材とを有するレンズ装置である。固定筒は、光軸方向に延びる係合孔を有しており、レンズ保持部材の係合突起がこの係合孔に嵌ることによりレンズ保持部材が光軸方向に移動可能に固定筒に保持される。カム筒は、固定筒とレンズ保持部材との間に回転自在に配置され、レンズ保持部材の係合突起が貫通する光軸方向に対して傾斜したカム孔を有している。固定筒には、操作部材をカム筒に接続するための円周方向に延びる貫通孔を有している。操作部材を操作することによりカム筒が回動し、レンズ保持部材の係合突起がカム孔により光軸方向に案内されることで、レンズ保持部材が光軸方向に移動する。これにより、レンズ保持部材に保持されたレンズが光軸方向に移動し、フォーカスや倍率などが調整される。
【０００３】
特許文献１には、上記レンズ装置が搭載された画像投写装置が記載されており、リング状の操作部材が、画像投写装置の筐体から露出するように設けられている。
【発明の概要】
【発明が解決しようとする課題】
【０００４】
しかしながら、上記レンズ装置においては、埃などが、貫通孔からレンズ装置内部に進入し、レンズの表面に付着してしまうおそれがあった。
【課題を解決するための手段】
【０００５】
上記課題を解決するために、本発明は、光軸方向に延びる係合孔を有する固定筒と、前記固定筒の内部に配置され、前記係合孔に嵌る係合突起を有し、レンズを保持するレンズ保持部材と、前記固定筒と前記レンズ保持部材との間で回転可能に配置され、前記係合突起が貫通する光軸方向に対して傾斜したカム孔を有するカム筒と、前記カム筒に接続され、前記カム筒を操作する操作部材とを備え、前記固定筒は、前記操作部材を前記カム筒に接続するための円周方向に延びる貫通孔を有するレンズ装置において、前記貫通孔からの装置内部への埃の進入を抑制する防塵手段を設けたことを特徴とするものである。
【発明の効果】
【０００６】
本発明によれば、レンズに埃などが付着するのを抑制することができる。
【図面の簡単な説明】
【０００７】
【図１】実施形態に係るプロジェクタを示す斜視図である。
【図２】同プロジェクタを示す側面図である。
【図３】（ａ）は、外装カバーを外した同プロジェクタの内部構成と配置を示す斜視図である。（ｂ）は、図３（ａ）の太線枠で囲まれた部分の斜視図である。
【図４】同プロジェクタにおける光源部、画像生成部及び投射光学部の断面図である。
【図５】投写光学部の斜視図である。
【図６】ズームレバーを取り外した投写光学部の斜視図である。
【図７】投写光学部を光軸方向と平行に切った概略断面図である。
【図８】図７のＡ−Ａ断面図である。
【図９】防塵カバーの斜視図である。
【図１０】防塵カバーを取り付けた投写光学部の斜視図である。
【図１１】図１０の一点鎖線Ｂの位置の概略断面図である。
【図１２】防塵カバーを取り付けた投写光学部において、ズームレバーを操作するときの様子を示す斜視図である。
【図１３】ズームレバー操作後の防塵カバーを取り付けた投写光学部の斜視図である。
【図１４】変形例の防塵カバーを示す図である。
【図１５】変形例の防塵カバーを組み立てた状態を示す斜視図である。
【図１６】変形例の防塵カバーを、投写光学部に組み付けた様子を示す図である。
【図１７】固定筒の貫通孔および保持孔が形成されている部分のみを、防塵カバーにより覆う構成を示す斜視図である。
【図１８】保持孔が非貫通孔の場合の防塵カバーの一例を示す断面図である。
【発明を実施するための形態】
【０００８】
以下、本発明が適用される画像投写装置としてのプロジェクタ１の一実施形態について説明する。
図１は本実施形態に係るプロジェクタ１を示す斜視図であり、図２は本プロジェクタ１の側面図である。
図１及び図２に示すように、プロジェクタ１の上面には、ユーザーがプロジェクタ１を操作するための操作ボタン等の操作部１１が設けられている。また、投写面であるスクリーン２００に映し出されている投写画像を拡大したり縮小したりするズームレバー４６が設けられている。プロジェクタ１の正面には、装置電源のオン／オフを行う電源スイッチ１３、パソコンやビデオカメラ等の外部機器と接続するための外部入力端子１４、投写画像の光を出射する投写レンズ４９、装置環境の照度を検出する照度センサ１６などが設けられている。プロジェクタ１における外装カバーの側面には、冷却用の空気を取り入れる吸気口１７が設けられている。
【０００９】
図３（ａ）は、外装カバーを外したプロジェクタ１の内部構成と配置を示す斜視図である。
図３（ｂ）は、図３（ａ）の太線筒で囲まれた部分の斜視図である。
図４は、光源部、画像生成部及び投写光学部の断面図である。
図３及び図４に示すように、プロジェクタ１は、ハロゲンランプ、メタルハライドランプ、高圧水銀ランプなどの光源である放電ランプ２１を備える光源部２０と、放電ランプ２１からの光を用いて画像を生成する画像生成部３０と、投写画像を出射する複数の投写レンズ４９を保持する投写光学部４０とを備えている。
【００１０】
光源部２０は、プロジェクタ本体に対して着脱可能に構成された上記放電ランプ２１を備える光源ユニットと、カラーホイール２２、ライトトンネル２３、２枚のリレーレンズ２４を有する画像照明光学系とから構成されている。放電ランプ２１からの光は、図４の矢印で示すように、回転するカラーホイール２２を通ることによって時分割でＲ、Ｇ、Ｂの光成分に分離される。このカラーホイール２２は、円盤形状のものであり、ホイールモータ２５のモータ軸に固定され、回転方向にＲ（レッド）、Ｇ（グリーン）、Ｂ（ブルー）などのカラーフィルタが設けられている。カラーホイール２２により分離された各光成分は、ライトトンネル２３へ入射する。ライトトンネル２３は、四角筒形状であり、その内周面が鏡面となっている。ライトトンネル２３に入射した各光成分は、ライトトンネル２３の内周の鏡面で複数回反射しながら、均一な面光源にされて２枚のリレーレンズ２４へ向けて出射する。リレーレンズ２４へ向けて出射した各光成分は、図４の矢印で示すように、２枚のリレーレンズ２４を透過し、次段の画像生成部３０の平面ミラー３１、凹面ミラー３２により反射される。そして、画像表示素子としてのＤＭＤ（Ｄｉｇｉｔａｌ  Ｍｉｃｒｏ−ｍｉｒｒｏｒ  Ｄｅｖｉｃｅ）３３の画像生成面上に集光して結像される。
【００１１】
ＤＭＤ３３の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、カラーホイール２２を透過した各光成分を投写光学部４０の投写レンズに向けて反射する。「ＯＦＦ」のときは、照明ブラケットなどの側面に保持されたＯＦＦ光板に向けて光を反射する。したがって、各マイクロミラーを個別に駆動することにより、画素ごとに光の投写を制御することができ、投写画像を生成することができる。なお、ＯＦＦ光板に向けて反射された光は、熱となって吸収され外側の空気の流れで冷却される。
【００１２】
パソコンやビデオカメラ等から入力される映像データを基づいてＤＭＤ３３を制御し画像を生成し、その画像を投写光学部４０で拡大して、その画像を図２の投写面としてのスクリーン２００等に投写表示する。
【００１３】
図５は、投写光学部４０の斜視図であり、図６は、ズームレバー４６を取り外した投写光学部の斜視図である。また、図７は、投写光学部を光軸方向と平行に切った概略断面図であり、図８は、図７のＡ−Ａ断面図である。
レンズ装置たる投写光学部４０は、投写画像のピントを調整するフォーカス調整機構５０と、投写画像の倍率を調整するズーム調整機構７０とを備えており、内部に第一投写レンズ群４９ａ、第二投写レンズ４９ｂ、第三投写レンズ群４９ｃ、および第四投写レンズ４９ｄを光軸方向に移動可能に保持している。
【００１４】
ズーム調整機構７０は、装置本体に固定される筒状の固定筒４１と、光軸方向に移動可能に固定筒４１に保持され、投写レンズを保持する３つの稼動筒（第一稼動筒４３，第二稼動筒４４，第三稼動筒４５）と、固定筒４１に回動自在に保持され、これら稼動筒４３，４４，４５を光軸方向に移動させるカム筒４２と、カム筒４２を回動操作するズームレバー４６とを備えている。
【００１５】
第一稼動筒４３は、第一投写レンズ群４９ａを構成する複数の投写レンズを保持している。第二稼動筒４４は、第二投写レンズ４９ｂを保持しており、第三稼動筒４５は、第三投写レンズ群４９ｃを構成する複数の投写レンズを保持している。最もスクリーン２００側に配置された第四投写レンズ４９ｄは、フォーカス調整機構５０のレンズ保持部材５１に保持されている。
【００１６】
第一稼動筒４３，第二稼動筒４４，第三稼動筒４５には、それぞれ、軸部材４３ａ，４４ａ，４５ａが円周方向に１２０°の間隔を開けて３箇所に取り付けられている。
【００１７】
固定筒４１は、カム筒４２と各稼動筒４３，４４，４５とを内部に納め、第一稼動筒４３の軸部材４３ａが嵌る光軸方向に延びる第一係合孔４１ａが、円周方向に１２０°の間隔を開けて３箇所に設けられている。また、第二稼動筒４４の軸部材４４ａと第三稼動筒４５の軸部材４５ａが嵌る光軸方向に延びる第二係合孔４１ｂが、円周方向に１２０°の間隔を開けて３箇所に設けられている。これにより、各稼動筒４３，４４，４５が固定筒４１に、光軸方向に移動可能に保持される。本実施形態では、稼動筒の軸部材が嵌る係合孔４１ａ，４１ｂを貫通孔としているが、凹形状の非貫通孔としてもよい。
また、固定筒４１には、鍔状の固定部４８が設けられており、この固定部４８が、画像生成部３０に固定される。
【００１８】
固定筒４１と各稼動筒との間に配置されるカム筒４２には、第一稼動筒４３の軸部材４３ａが貫通する第一カム孔４２ａが、円周方向に１２０°の間隔を開けて３箇所設けられている。また、カム筒４２には、第二稼動筒４４の軸部材４４ａが貫通する第二カム孔４２ｂおよび第三稼動筒４５の軸部材４５ａが貫通する第三カム孔４２ｃが、それぞれ、円周方向に１２０°の間隔を開けて３箇所設けられている。各カム穴４２ａ,４２ｂ,４２ｃは、円周方向に延び、かつ、光軸方向に傾斜している。
【００１９】
また、カム筒４２には、ズームレバー４６の回動操作が伝達される伝達軸部４２ｄが、円周方向に１２０°の間隔を開けて２箇所設けられている。固定筒４１には、円周方向に延び上記伝達軸部４２ｄが貫通する貫通孔４１ｃが１２０°の間隔を開けて２箇所設けられている。これら伝達軸部４２ｄには、ズームレバー４６がネジ止めされている。
【００２０】
また、カム筒４２には、各伝達軸部４２ｄに対して円周方向に１２０°の間隔を開けた位置に保持軸部４２ｅが設けられている。また、固定筒４１には、円周方向に延び、この保持軸部４２ｅが嵌る保持孔４１ｄが設けられている。カム筒４２は、上記２つの伝達軸部４２ｄと、上記保持軸部４２ｅの３点で、固定筒４１に回転自在に保持されている。本実施形態では、上記保持孔４１ｄは、貫通孔であるが、凹形状の非貫通孔でもよい。
【００２１】
ズームレバー４６の取っ手部４６ａをユーザーが掴んで回動させると、カム筒４２がズームレバー４６と一体となって回動する。カム筒４２が回動すると、各稼動筒の軸部材４３，４４，４５が、各カム穴４２ａ，４２ｂ，４２ｃ内を相対的に円周方向に移動しながら、カム穴により光軸方向に移動せしめられる。これにより、各稼動筒４３，４４，４５が、光軸方向に移動し、第一投写レンズ群４９ａ、第二投写レンズ４９ｂおよび第三投写レンズ群４９ｃが、それぞれ光軸方向に移動する。各投写レンズの移動方向は、各投写レンズの光学特性に応じて適宜決められられており、各投写レンズが規定の方向に規定の距離移動することにより、スクリーン２００に投写された投写画像の倍率が調整される。
【００２２】
フォーカス調整機構５０は、図６，図７に示すように、第四投写レンズ４９ｄを保持するレンズ保持部材５１と、第四投写レンズ４９ｄを光軸方向に移動させてフォーカス調整を行う調整筒５３と、レンズ保持部材５１と調整筒５３とを連結する連結部材５２とで主に構成されている。調整筒５３の内周面には、雌ネジ部５３ａが設けられており、固定筒４１の外周面に設けられた雄ネジ部４１ｆに螺合している。また、調整筒５３には、円周方向に延びる取り付け孔５３ｂが円周方向に１２０°の間隔を開けて３箇所設けられている。これら取り付け孔５３ｂには、固定筒４１に取り付けられた規制軸部材４１ｇが嵌っており、これにより、フォーカス調整機構５０が、所定範囲回動可能に固定筒４１に取り付けられる。
【００２３】
レンズ保持部材５１の外周面をユーザーが掴んで回動させると、フォーカス調整機構５０が固定筒４１に対して回動し、固定筒４１の雄ネジ部４１ｆにより、フォーカス調整機構５０が光軸方向に移動する。これにより、フォーカス調整機構５０が保持する第四投写レンズ４９ｄが光軸方向に移動し、スクリーン２００に投写された投写画像のピントが調整される。
【００２４】
本実施形態においては、プロジェクタ１の投写光学部４０の光軸方向（スクリーン２００の垂直方向）の小型化を図るために、固定部４８が、第一稼動筒４３と第二稼動筒４４との間に配置されている。そのため、カム筒が固定筒４１よりも外側にある構成とすると、第一稼動筒４３、第二稼動筒４４および第三稼動筒４５をひとつのカム筒で移動させることができない。ズームの調整は、各稼動筒に保持された投写レンズが規定の距離関係に変化することで調整することができるため、このように、ひとつのカム筒で各稼動筒を移動できないと、まともなズーム調整を行えない。
【００２５】
そのため、本実施形態においては、カム筒４２を固定筒４１の内部に配置している。これにより、固定部４８よりも画像生成部３０側に配置された第一稼動筒４３と、固定部４８よりも投写面側の第二および第三稼動筒４４，４５とを、ひとつのカム筒に移動させることができる。その結果、良好なズーム調整を行うことができ、かつ、プロジェクタの小型化を図ることができる。
【００２６】
また、本実施形態においては、プロジェクタ１の小型化のため、投写レンズの小径化、投写光学部４０の光軸方向の小型化が図られている。しかし、投写レンズの小径化、投写光学部４０を光軸方向に小型化することにより、図５などに示すように、第三カム孔４２ｃの一部が、固定筒の貫通孔４１ｃから露出する。その結果、図８に示すように、投写光学部４０の内部が、貫通孔４１ｃと第三カム孔４２ｃとを介して外部と連通してしまう。これにより、図８の二点鎖線の矢印Ｇに示すように、プロジェクタ内を浮遊している埃や塵が、貫通孔４１ｃと第三カム孔４２ｃとからなる連通孔を通って、投写光学部４０内に進入し、投写レンズの表面に付着するおそれがある。投写レンズの表面に塵や埃が付着することにより、光量低下などを引き起こし、投写画像の画質が劣化するおそれがある。
【００２７】
また、第三カム孔４２ｃの一部が、カム筒４２の保持軸部４２ｅが嵌る固定筒４１の保持孔４１ｄから露出し、投写光学部４０の内部が、保持孔４１ｄと第三カム孔４２ｃとを介して外部と連通してしまう。よって、図８の二点鎖線の矢印Ｇに示すように、プロジェクタ内を浮遊している埃や塵が、保持孔４１ｄと第三カム孔４２ｃとを通って、投写光学部４０内に進入し、投写レンズの表面に付着するおそれもある。
【００２８】
そこで、本実施形態においては、投写光学部４０の内への塵や埃の進入を抑制する防塵カバーを設けた。以下に図面を用いて具体的に説明する。
【００２９】
図９は、防塵カバー６０の斜視図である。
防塵手段たる防塵カバー６０は、円筒形状をしており、例えば、ＰＥＴ（ポリエチレンテレフタレート）などの厚みの薄い樹脂からなっている。防塵カバー６０の一端側には、円周方向に１２０°の間隔を開けて、２箇所に切り欠き状の逃げ部６１が形成されている。防塵カバー６０は、例えば、円筒状のフィルムをカットして形成してもよいし、シート状のフィルムを円筒状に巻いて端部を接着することで形成してもよい。
【００３０】
図１０は、防塵カバー６０を取り付けた投写光学部４０の斜視図であり、図１１は、図１０の一点鎖線Ｂの位置の概略断面図である。なお、図１０においては、ズームレバー４６については、図示を省略している。
図１０、図１１に示すように、防塵手段たる防塵カバー６０は、各逃げ部６１を伝達軸部４２ｄに位置させ、固定筒４１を覆うように投写光学部４０に取り付けられられる。これにより、固定筒４１の貫通孔４１ｃおよび保持孔４１ｄが防塵カバー６０に覆われる。その結果、第三カム孔４２ｃの一部が、貫通孔４１ｃや保持孔４１ｄに位置しても、図１１に示すように、防塵カバー６０により投写光学部の内部と外部との連通が遮断される。これにより、図１１の２点鎖線の矢印Ｇに示すように、外部から投写光学内部へ塵や埃が進入するのを防塵カバー６０により防ぐことができ、投写レンズの表面に塵や埃が付着するのを抑制することができる。よって、経時にわたり良好な投写画像を投写することができる。
【００３１】
また、防塵カバー６０に逃げ部６１を設けて伝達軸部４２ｄを逃がしているので、これら伝達軸部４２ｄにズームレバー４６をネジ止めすることができる。
【００３２】
図１２は、防塵カバー６０を取り付けた投写光学部４０において、ズームレバー４６を操作するときの様子を示す斜視図であり、図１３は、ズームレバー４６操作後の防塵カバー６０を取り付けた投写光学部４０の斜視図である。
ユーザーがズームレバー４６の取っ手部４６ａを掴んで図１２の矢印Ａ方向に回転させると、伝達軸部４２ｄを介して回転操作がカム筒４２に伝達され、カム筒４２が回動する。すると、伝達軸部４２ｄが、防塵カバー６０の逃げ部６１の回転方向側端部に突き当たる。防塵カバー６０は、固定筒４１などに固定されておらず、回転自在に投写光学部４０に保持されているため、伝達軸部４２ｄが逃げ部６１に突き当たると、防塵カバー６０は、図中矢印Ｂに示すように、ズームレバー４６と一体となって回転する。これにより、ズームレバー４６の操作によりカム筒４２が回動しても、防塵カバー６０により貫通孔４１ｃおよび保持孔４１ｄを覆うことができ、投写光学部内への埃や塵の進入を抑制することができる。
【００３３】
また、本実施形態においては、カム筒に固定筒４１の貫通孔４１ｃに嵌る軸部を設けているが、ズームレバー４６に貫通孔４１ｃに嵌る凸状部を設けた構成でもよい。また、本実施形態においては、防塵カバー６０の逃げ部６１は、切り欠きであるが、貫通孔でもよい。
【００３４】
また、防塵カバー６０の内径を、固定筒４１の外径とほぼ同じとして、防塵カバー６０と固定筒４１との間の隙間をなるべく少なくするのが好ましい。これにより、防塵カバー６０と固定筒４１との隙間から埃や塵が入り込むのを良好に抑制することができ、その隙間に入り込んだ塵や埃が、貫通孔４１ｃと第三カム孔４２ｃとを介して投写光学部内に進入するのを抑制することができる。しかし、防塵カバー６０の外径を、固定筒４１の外径とほぼ同じとすると、伝達軸部４２ｄ等の固定筒４１から突出する部分が防塵カバーの取り付けの邪魔となり、防塵カバー６０の取り付けが困難となる場合がある。そこで、シート状の部材を固定筒４１に巻きつけて、投写光学部４０に組み付けるようにしてもよい。以下、変形例として説明する。
【００３５】
図１４は、変形例の防塵カバー６０ａを示す図である。
図１４に示すように、この変形例の防塵カバー６０ａは、組み立て前は、長方形状の可撓性のシート状部材であり、長手方向の両端に防塵カバー６０ａ組み立て時に作業者が掴むための把持部６３，６４を有している。また、シート状部材の一端（図１４の左側端部）には、通し穴６６が設けられており、この通し穴６６の端部側には、係止部６７が設けられている。
【００３６】
シート状部材の他端（図１４の右側端部）には、引っ掛け部６５が形成されており、この引っ掛け部６５は、短手方向に突き出た凸形状部６５ｂと、短手方向に凹んだ凹形状部６５ａとから構成されている。防塵カバーの凸形状部６５ｂが形成された箇所の短手方向長さＬ１は、通し穴６６の係止部６７が形成された箇所の短手方向長さＬ３よりは長く、通し穴６６の係止部６７が形成されていない箇所の短手方向長さＬ２よりは短くなっている（Ｌ３＜Ｌ１＜Ｌ２）。また、防塵カバーの凹形状部６５ａが形成された箇所の短手方向長さＬ４は、通し穴６６の係止部６７が形成された箇所の短手方向長さＬ３よりも短くなっている（Ｌ３＞Ｌ４）
【００３７】
図１５は、変形例の防塵カバー６０ａを組み立てた状態を示す斜視図である。
作業者は、一方の手で一端側の把持部６４を掴み、他方の手で他端側の把持部６３を掴んでシート状部材を弾性変形させながら一端側と他端側とを近づけていく。そして、他端側の把持部６３と引っ掛け部６５とを通し穴６６に挿入し、引っ掛け部６５の凹形状部６５ａまで通し穴６６に挿入したら、他端側の把持部６３を引き上げて、凹形状部６５ａを通し穴６６の係止部６７が形成された箇所に移動させる。すると、引っ掛け部６５の凸形状部６５ｂが係止部６７に引っ掛かる。これにより、防塵カバー６０ａが円筒状に組み立てられる。
【００３８】
図１６は、変形例の防塵カバー６０ａを、投写光学部４０に組み付けた様子を示す図である。
変形例の防塵カバー６０ａを、投写光学部４０に組み付けるときは、上述した要領で、固定筒４１の外周にシート状の防塵カバーを巻き付けていき、引っ掛け部６５を通し穴６６に通すことで、固定筒４１の外周に防塵カバー６０ａを取り付けることができる。
【００３９】
この変形例においては、始めから筒状の防塵カバーを組み付ける場合とは異なり、防塵カバー６０の内径を、固定筒４１の外径とほぼ同じとする構成であっても、組み付け時に伝達軸部４２ｄなどが組み付けの邪魔となることがなく、容易に防塵カバーを投写光学部に取り付けることができる。また、始めから筒状の防塵カバーを組み付ける場合は、フォーカス調整機構５０を固定筒４１に組み付ける前に、防塵カバーを組み付ける必要がある。しかし、この変形例の防塵カバーにおいては、フォーカス調整機構５０を固定筒４１に組み付けた後でも、防塵カバーを組み付けることができる。
【００４０】
また、上述では、防塵カバー６０は、固定筒４１の全体を覆っているが、図１７に示すように、固定筒４１の貫通孔４１ｃおよび保持孔４１ｄが形成されている部分のみを、防塵カバー６０により覆う構成でもよい。また、図１８に示すように保持孔４１ｄが非貫通孔の場合は、保持孔４１ｄから第三カム孔４２ｃの一部が露出することがない。従って、この場合は貫通孔４１ｃのみを防塵カバー６０で覆えばよいので、図１８に示すように、円筒形状でなくてもよい。また、防塵カバー６０をカム筒４２と固定筒４１との間に配置してもよい。
【００４１】
以上に説明したものは一例であり、以下の態様毎に特有の効果を奏する。
（態様１）
光軸方向に延びる第一係合孔４１ａ，第二係合孔４１ｂなどの係合孔を有する固定筒４１と、固定筒４１の内部に配置され、係合孔に嵌る軸部材４３ａ，４４ａ，４５ａなどの係合突起を有し、投写レンズいなどのレンズを保持する稼動筒４３，４４，４５などのレンズ保持部材と、固定筒４１とレンズ保持部材との間で回転可能に配置され、係合突起が貫通する光軸方向に対して傾斜したカム孔４２ａ，４２ｂ，４２ｃを有するカム筒４２と、前記カム筒４２に接続され、前記カム筒４２を操作するズームレバー４６などの操作部材とを備え、前記固定筒４１は、前記操作部材をカム筒４２に接続するための円周方向に延びる貫通孔４１ｃを有する投写光学部４０などのレンズ装置において、前記貫通孔からの装置内部への埃の進入を抑制する防塵カバー６０などの防塵手段を設けた。
これによれば、防塵カバー６０などの防塵手段により貫通孔４１ｃからの埃の進入を抑制することで、貫通孔４１ｃとカム孔４２ｃの一部とが重なってできた連通孔を通って装置内部に埃が進入し、投写レンズなどのレンズに付着するのを抑制することができる。
【００４２】
（態様２）
態様１において、防塵カバー６０などの防塵手段は、貫通孔４１ｃを覆い、ズームレバー４６などの操作部材と連れ動く。
これによれば、防塵カバー６０などの防塵手段により貫通孔４１ｃを覆うことにより、貫通孔４１ｃへの埃や塵の進入を抑制することができ、装置内部への塵や埃の進入を抑制することができる。また、防塵手段は、操作部材と連れ動くため、防塵手段が、操作部材の貫通孔に対する相対的な移動を防塵手段が妨げることがない。
【００４３】
（態様３）
態様２において、防塵カバー６０などの防塵手段は、カム筒４２とズームレバー４６などの操作部材とを接続する伝達軸部４２ｄなどの接続部と円周方向から当接する当接部（本実施形態では、逃げ部６１の回転方向と直交する端部）を有する。
これによれば、操作部材の回転操作時に、伝達軸部４２ｄなどの接続部が当接部に当接し、操作部材の回転操作を伝達する。これにより、防塵カバー６０などの防塵手段がズームレバー４６などの操作部材と連れ動くことができる。
【００４４】
（態様４）
態様３において、防塵カバー６０などの防塵手段には、伝達軸部４２ｄなどの接続部を逃がす切り欠きまたは孔形状の逃げ部６１を有する。
これによれば、ズームレバー４６などの操作部材の回転操作時に、伝達軸部４２ｄなどの接続部が切り欠きまたは孔形状の逃げ部６１の回転方向端部に当接し、防塵手段に操作部材の回転操作を伝達することができる。
【００４５】
（態様５）
態様２乃至４いずれかにおいて、防塵カバー６０などの防塵手段は、円筒状である。
これによれば、固定筒４１の全体を覆うことができ、貫通孔４１ｃへ埃や塵が進入するのをより一層抑制することができる。
【００４６】
（態様６）
態様５において、防塵カバー６０など防塵手段は、可撓性の平面部材であり、一端に、他端に設けられた引っ掛け部６５が留められる係止部６７を有する。
これによれば、変形例で説明したように、可撓性の平面部材を固定筒４１に巻き付け、他端に設けられた引っ掛け部６５を一端の係止部６７に引っ掛けることで防塵カバー６０などの防塵手段を円筒状にして、投写光学部４０などのレンズ装置に組み付けることができる。これにより、始めら円筒状のカバー部材を、レンズ装置に組み付ける場合に比べて、容易にカバー部材を組み付けることができる。
【００４７】
（態様７）
態様１乃至６いずれかにおいて、固定筒４１は、円周方向に延び、カム筒４２の保持突起が入り込む貫通した保持孔４１ｄを有し、防塵カバー６０などの防塵手段は、保持孔４１ｄからの装置内部への埃の進入も抑制する。
これによれば、実施形態で説明したように、防塵カバー６０などの防塵手段により保持孔４１ｄからの埃の進入も抑制することで、保持孔４１ｄとカム孔４２ｃの一部とが重なってできた連通孔を通って装置内部に埃が進入し、投写レンズなどのレンズに付着するのを抑制することができる。
【００４８】
（態様８）
投写画像を生成する画像生成部３０などの画像生成手段と、前記画像生成手段が生成した投写画像が入射する投写レンズなどのレンズを有する投写光学部４０などのレンズ装置とを備えたプロジェクタ１などの画像投写装置において、前記レンズ装置として、態様乃至７いずれか一項に記載のレンズ装置を用いた。
これによれば、投写画像の劣化を抑制することができる。
【符号の説明】
【００４９】
１：プロジェクタ
３０：画像生成部
４０：投写光学部
４１：固定筒
４１ａ：第一係合孔
４１ｂ：第二係合孔
４１ｃ：貫通孔
４１ｄ ：保持孔
４１ｆ：雄ネジ部
４１ｇ：規制軸部材
４２：カム筒
４２ａ：第一カム孔
４２ｂ：第二カム孔
４２ｃ：第三カム孔
４２ｄ：伝達軸部
４２ｅ：保持軸部
４３：第一稼動筒
４４：第二稼動筒
４５：第三稼動筒
４３ａ，４４ａ，４５ａ：軸部材
４６：ズームレバー
４６ａ：取っ手部
４８：固定部
４９ａ：第一投写レンズ群
４９ｂ：第二投写レンズ
４９ｃ：第三投写レンズ群
４９ｄ：第四投写レンズ
５０：フォーカス調整機構
５１：レンズ保持部材
５２：連結部材
５３：調整筒
５３ａ：雌ネジ部
５３ｂ：取り付け孔
６０，６０ａ：防塵カバー
６１：逃げ部
６３，６４：把持部
６５：引っ掛け部
６５ａ：凹形状部
６５ｂ：凸形状部
６６：通し穴
６７：係止部
７０：ズーム調整機構
２００：スクリーン
【先行技術文献】
【特許文献】
【００５０】
【特許文献１】特開２００８−２４２０２１号公報
【図１】
2018112638.tif 000003
【図２】
2018112638.tif 000004
【図３】
2018112638.tif 000005
【図４】
2018112638.tif 000006
【図５】
2018112638.tif 000007
【図６】
2018112638.tif 000008
【図７】
2018112638.tif 000009
【図８】
2018112638.tif 000010
【図９】
2018112638.tif 000011
【図１０】
2018112638.tif 000012
【図１１】
2018112638.tif 000013
【図１２】
2018112638.tif 000014
【図１３】
2018112638.tif 000015
【図１４】
2018112638.tif 000016
【図１５】
2018112638.tif 000017
【図１６】
2018112638.tif 000018
【図１７】
2018112638.tif 000019
【図１８】
2018112638.tif 000020